(57)【要約】【課題】着用者に対する股間部の密着性が改善されたパンツ型の着用物品を提供する。【解決手段】着用者の胴周りに配置される胴周り部２と、着用者の背側から股下を経て腹側に延び胴周り部２に接続される股間部３とを備え、胴周り部２と股間部３が接続されたとき胴周り部２の両側４の下端縁５および股間部３の両側縁６により一対の脚周り開口７が形成されるパンツ型の着用物品１において、胴周り部２と股間部３とを着脱可能に接続する接続部８と、脚周り開口７を形成する胴周り部２の両側４の下端縁５に沿って延びる一対の第１脚周り弾性域１１と、脚周り開口７を形成する股間部３の両側縁６に沿って延びる一対の第２脚周り弾性域１２とを備え、接続部８で第１脚周り弾性域１１および第２脚周り弾性域１２が重なり合って連結される構成とした。【選択図】図１
2008036019.tif 000002
【特許請求の範囲】
【請求項１】
着用者の胴周りに配置される胴周り部と、前記着用者の背側から股下を経て腹側に延び前記胴周り部に接続される股間部とを備え、前記胴周り部と前記股間部が接続されたとき前記胴周り部の両側の下端縁および前記股間部の両側縁により一対の脚周り開口が形成されるパンツ型の着用物品において、
前記胴周り部と前記股間部とを、少なくとも前記着用者の腹側および背側のいずれか一方で着脱可能に接続する接続部と、
前記脚周り開口を形成する前記胴周り部の両側の前記下端縁に沿って延びる一対の第１脚周り弾性域と、
前記脚周り開口を形成する前記股間部の前記両側縁に沿って延びる一対の第２脚周り弾性域と、を備え、
前記接続部で、前記第１脚周り弾性域および前記第２脚周り弾性域が重なり合って連結されることを特徴とするパンツ型の着用物品。
【請求項２】
前記接続部は互いに着脱可能な第１接続部材と第２接続部材を含んで構成され、
前記第１接続部材は、前記胴周り部に取付けられて前記第１脚周り弾性域と重なり合って連結され、
前記第２接続部材は、前記股間部に取付けられて前記第２脚周り弾性域と重なり合って連結される請求項１に記載のパンツ型の着用物品。
【請求項３】
前記接続部において、前記第１脚周り弾性域が延びる方向の延長線上に前記第２脚周り弾性域が延びる請求項１または２に記載のパンツ型の着用物品。
【請求項４】
前記股間部の両側縁に沿って延びる一対の防漏カフが設けられ、
前記防漏カフは、前記側縁と同方向に延びて前記股間部に対して固定される固定端と、前記固定端と並行して延びて前記股間部から離間可能な自由端とを有するとともに、前記自由端に沿って防漏カフ弾性域が延び、
前記防漏カフ弾性域は前記接続部に重なり合って前記第１・第２脚周り弾性域に連結されている請求項１から３のいずれか１項に記載のパンツ型の着用物品。
【請求項５】
前記股間部の両側縁に沿って延びる一対の防漏カフが設けられ、
前記防漏カフは、前記側縁と同方向に延びて前記股間部に対して固定される固定端と、
前記固定端と並行して延びて前記股間部から離間可能な自由端とを有するとともに、
前記自由端に沿って防漏カフ弾性域が延び、
前記防漏カフ弾性域が前記第２脚周り弾性域を構成し、かつ、前記接続部に重なり合って前記第１脚周り弾性域に連結されている請求項１から３のいずれか１項に記載のパンツ型の着用物品。
【発明の詳細な説明】
【技術分野】
【０００１】
本発明は、パンツ型の着用物品に関する。
【背景技術】
【０００２】
特許文献１には、前身頃と後身頃とから構成されて上部に胴周り開口を有するパンツ型の着用物品であって、前身頃の内面の下端縁近傍から前身頃の上端部の方向へ延びる第１係合域と、後身頃の内面の下端縁近傍に形成された第２係合域と、第２係合域から上端部の方向へ離間して後身頃の外面に形成された第３係合域とを有し、第２，３係合域が、第１係合域に係脱可能に係合し、着用物品に左右一対の脚周り開口が形成される着用物品が開示されている。
【特許文献１】特開２００１−２５２３０４号公報（段落００３５〜００３６、図１）
【０００３】
特許文献１のおむつは、前身頃と後身頃との下端部が係脱可能に形成されており、胴周り開口から下部開口へ着用者の両脚をとおし、おむつを着用者の胴周りまで引き上げ、それら身頃の下端部を係合させることにより着用することができるので、装着が容易である。
【発明の開示】
【発明が解決しようとする課題】
【０００４】
特許文献１のおむつでは、着用時に前身頃と後身頃とを係合させる際、尿等を吸収するための吸収体が備えられた股間部を着用者に密着させるようになっている。しかし、着用後に吸収体を積極的に着用者に密着させる手段が設けられていない点で改良の余地がある。
【０００５】
本発明は、着用者に対する股間部の密着性が改善されたパンツ型の着用物品を提供することを目的とする。
【課題を解決するための手段】
【０００６】
前述の課題を解決するための本発明は、着用者の胴周りに配置される胴周り部と、着用者の背側から股下を経て腹側に延び胴周り部に接続される股間部とを備え、胴周り部と股間部が接続されたとき胴周り部の両側の下端縁および股間部の両側縁により一対の脚周り開口が形成されるパンツ型の着用物品を前提とする。
【０００７】
本発明の特徴は、胴周り部と股間部とを、少なくとも着用者の腹側および背側のいずれか一方で着脱可能に接続する接続部と、脚周り開口を形成する胴周り部の両側の下端縁に沿って延びる一対の第１脚周り弾性域と、脚周り開口を形成する股間部の両側縁に沿って延びる一対の第２脚周り弾性域とを備え、接続部で、第１脚周り弾性域および第２脚周り弾性域が重なり合って連結されることにある。
【０００８】
本発明の実施態様では、接続部は互いに着脱可能な第１接続部材と第２接続部材を含んで構成され、第１接続部材は、胴周り部に取付けられて第１脚周り弾性域と重なり合って連結され、第２接続部材は、股間部に取付けられて第２脚周り弾性域と重なり合って連結されていることが好ましい。
また、別の実施態様では接続部において、第１脚周り弾性域が延びる方向の延長線上に第２脚周り弾性域が延びることが好ましい。
【０００９】
さらに別の実施態様では、股間部の両側縁に沿って延びる一対の防漏カフが設けられ、防漏カフは、側縁と同方向に延びて股間部に対して固定される固定端と、固定端と並行して延びて股間部から離間可能な自由端とを有するとともに、自由端に沿って防漏カフ弾性域が延び、防漏カフ弾性域は接続部に重なり合って第１・第２脚周り弾性域に連結されていることが好ましい。
また別の実施態様では、防漏カフ弾性域が第２脚周り弾性域を構成し、かつ、接続部に重なり合って第１脚周り弾性域に連結されていることが好ましい。
【発明の効果】
【００１０】
本発明では、胴周り部側の第１脚周り弾性域と、股間部側の第２脚周り弾性域とが、着用物品の胴周り部と股間部との接続部を介して重なり合って連結される。これにより第１・第２脚周り弾性域が連動し、その収縮力が一体となって股間部を胴周り部に向けて引き上げるので、着用者に対する股間部の密着性が向上する。
なお、本発明で弾性域が重なり合うというときは、胴周り部と股間部を接続して接続部に垂直な方向から投影したとき、例えば第１脚周り弾性域と第２脚周り弾性域の少なくとも一部が重なり合うことをいう。また、連結というときは、一方に加えられた力が、着用物品を構成する布状の素材よりも相対的に高剛性の部材や素材（例えばメカニカルファスナやホットメルト接着剤）を介して他方にも伝わる関係にあることをいう。
【００１１】
接続部において、第１脚周り弾性域が延びる方向の延長線上に第２脚周り弾性域が延びる態様では、第１脚周り弾性域と第２脚周り弾性域の収縮力の方向が一致することにより収縮力が効率よく伝わり、股間部を胴周り部に向けてより効果的に引き上げることができる。
【００１２】
股間部の両側縁に沿って一対の防漏カフが設けられ、防漏カフの自由端に沿って延びる防漏カフ弾性域が第２接続部材に重なり合って第１・第２脚周り弾性域に連結される態様では、第１・第２脚周り弾性域の収縮力に、防漏カフ弾性域の収縮力が加わって股間部を胴周り部に向けて引き上げるので、着用者に対する股間部の密着性がさらに向上する。
【発明を実施するための最良の形態】
【００１３】
添付の図面を参照して、本発明に係るパンツ型の着用物品の詳細を、使い捨ておむつ１（以下おむつ１）を例に説明する。
【００１４】
＜第１実施形態＞
添付の図１〜３を参照して、第１実施形態に係るおむつ１について説明する。
図１は、接続部８が着用者の腹側と背側に設けられたおむつ１を、胴周り部を構成する胴周り部材２と、股間部を構成する股間部材３に分離して表わす斜視図であり、図２は胴周り部材２の両側４を分離して展開し、胴周り部材２と股間部材３の一部を破断して示すおむつ１の展開図である。図３は、図２のＩＩＩ−ＩＩＩ線の断面での第１・第２脚周り弾性域１１，１２の連結状態を模式化した模式図であり、図３の紙面上方がおむつ１の上方に相当する。なお、本願で上下方向というときは、立位の着用者から見た上下方向をいう。
【００１５】
図１に示すように、おむつ１は着用者の胴周りに配置される胴周り部を形成する胴周り部材２と、胴周り部材２に接続部８を介して着脱可能に接続されて着用者の背側から股下を経て腹側に延び、股間部を形成する股間部材３とを備える。胴周り部材２と股間部材３を接続すると、胴周り部材２の両側４の下端縁５と股間部材３の両側縁６により、着用者の左右に、仮想線で示す一対の脚周り開口７が形成される。さらに、脚周り開口７を形成する胴周り部材２の両側４の下端縁５に沿って第１脚周り弾性域１１が湾曲して延び、股間部材３の両側縁６に沿って第２脚周り弾性域１２が延びている。これら第１・第２脚周り弾性域１１，１２の弾性収縮により脚周りからの尿等の漏れが防止される。
【００１６】
次に、図２を参照しておむつ１の各部について説明する。
胴周り部材２は、着用者側に配される透液性の繊維不織布製の肌側シート１３と、おむつ１の外装シートとなる不透液性の外側シート１４で構成され、着用者の腹側にあたる前身頃１５と、背側にあたる後身頃１６の両側４を接続して形成されている。胴周り部材２の上端縁１８に沿って、胴周り弾性域１７が伸長下で、肌側シート１３と外側シート１４の間に取付けられている。
脚周り開口７の一部を形成する胴周り部材２の両側４の下端縁５は、おむつ１が着用されたとき上方に湾曲した状態となり着用者の脚にフィットする。ここに、第１脚周り弾性域１１が伸長下で、肌側シート１３と外側シート１４の間に取付けられている。
【００１７】
股間部材３は、着用者の背側から股下を経て腹側に至り、かつ脚にフィットすることができる縦長形状であり、不透液性の繊維不織布またはプラスチックフィルムから成るバックシート１９と、液透過性の不織布製で着用者の肌に当接するトップシート２０と、両者の間に介在し尿等を吸収する吸収体（図示せず）とを含んで構成されている。
また、股間部材３の縦方向に延びる両側縁６に沿って、第２脚周り弾性域１２が、バックシート１９とトップシート２０の間に伸長下に取付けられている。股間部材３は着用者の股間部にフィットし得る縦長形状であればよく、長方形、あるいは両側縁６がおむつ１の内方に湾曲した形状とすることができる。
【００１８】
接続部８は、着脱可能な第１接続部材２１と第２接続部材２２を含んで構成されている。第１接続部材２１は胴周り部材２の内側（着用者側）で、腹側および背側の下端縁５近傍に取付けられ、第２接続部材２２は股間部材３の外側で、股間部材３の幅方向に延びる上端２３および下端２４に平行に取付けられる。なお、第１接続部材２１を胴周り部材２の外側に取り付け、第２接続部材２２を股間部材３の内側に取り付けることもできる。
【００１９】
接続部８を構成する第１・第２接続部材２１，２２は、多数のループとフックからなるメカニカルファスナが用いられている。この他、粘着テープ等の公知の繰り返し着脱可能な接続手段を用いてもよい。第１・第２接続部材２１，２２は、ホットメルト接着剤（図示せず）で各々胴周り部材２、股間部材３に接着されている。第１・第２接続部材２１，２２は、それぞれ胴周り部材２の腹側と背側の下端縁５の幅方向、および股間部材３の上端２３と下端２４の幅方向のほぼ全長にわたって延在するが、同幅方向の少なくとも両側部に離間して配置してあってもよい。
一般に、接続部８を構成するメカニカルファスナや粘着テープは、胴周り部材２、股間部材３を構成する不織布等よりも相対的に剛性が高い。
【００２０】
第１接続部材２１は胴周り部材２の第１脚周り弾性域１１と重なり合う位置に取付けられ、第２接続部材２２は股間部材３の第２脚周り弾性域１２と重なり合う位置に取付けられる。
第１接続部材２１および第２接続部材２２の幅は、それぞれ第１脚周り弾性域１１、第２脚周り弾性域１２の各領域幅Ｗ１，Ｗ２よりも大きいことが好ましい。第１接続部材２１を例にすると、その取り付け位置における一対の第１脚周り弾性域１１，１１間の最大距離よりも大きな幅とするか、あるいは、第１脚周り弾性域１１の領域幅Ｗ１よりも数ｃｍ大きい幅の第１接続部材２１を２個設け、それぞれを第１脚周り弾性域１１に重なり合わせる構成とすることができる。
【００２１】
このように、第１・第２接続部材２１，２２の幅を第１・第２脚周り弾性域１１，１２の領域幅Ｗ１，Ｗ２よりも大きくすることにより、第１・第２接続部材２１，２２を介して第１・第２脚周り弾性域１１，１２を確実に連結させることができる。なお、第１・第２接続部材２１，２２の端どうしの位置を合わせて接続すれば、第１・第２脚周り弾性域１１，１２が重なり合うようにしておくことが好ましい。
【００２２】
第１・第２脚周り弾性域１１，１２、および胴周り弾性域１７には複数条のゴム紐が用いられ、ホットメルト接着剤(図示せず)で胴周り部材２、股間部材３に間隔をあけて接着されている。第１、第２脚周り弾性域１１，１２に、弾性を有するプラスチックフィルム等を用いてもよい。
【００２３】
胴周り部材２に、接続部８を介して股間部材３を接続すると、図２に示すように、第１脚周り弾性域１１と第２脚周り弾性域１２とが、接続部８を介して重なり合って連結される。このとき接続部８において、第１脚周り弾性域１１が延びる方向の延長線上に第２脚周り弾性域１２が延びるようにすることが好ましい。これにより、第１脚周り弾性域と第２脚周り弾性域の収縮力の方向が一致するので、両者が効率よく連動して股間部材３を胴周り部材２に向けて有効に引き上げることができる。
【００２４】
第１・第２脚周り弾性域１１，１２は、胴周り部材２、股間部材３に対し、図３に示すようにホットメルト接着剤ＨＭ（以下、接着剤ＨＭと記す）で間隔をあけて接着されている。また、メカニカルファスナである第１・第２接続部材２１，２２も、接着剤ＨＭで胴周り部材２、股間部材３に接着されており、第１・第２接続部材２１，２２を介して胴周り部材２と股間部材３が接続されている。
【００２５】
前述のように、第１・第２脚周り弾性域１１，１２は伸長された状態で胴周り部材２、股間部材３に取付けられているので、弾性収縮する。このため、第１接続部材２１は第１脚周り弾性域１１の収縮力により、図３の矢印Ｆ方向、すなわちおむつ１の上方に向けて引っ張られる。また、図３上で股間部材３の第２接続部材２２より下の部分も、第２脚周り弾性域１２の収縮力により、第２接続部材２２に向けて、すなわちおむつ１の上方に向けて引っ張られる。第１・第２脚周り弾性域１１，１２は相対的に高剛性で変形しにくい第１・第２接続部材２１，２２（接続部８）を介して連結されているので、第１、第２脚周り弾性域１１，１２の収縮力が一体となって股間部材３を胴周り部材２に向けて引き上げ、着用者に対する股間部材３の密着性が向上する。
【００２６】
第１脚周り弾性域１１を、胴周り部材２に接着剤ＨＭで間隔をあけて複数の点で接着するとき、接着剤ＨＭの少なくとも１点は第１接続部材２１と重なり合う位置に配することが好ましい。第２脚周り弾性域１２についても同様である。一般に接着剤ＨＭは不織布より相対的に剛性が高く変形しにくいので、前記のようにして接着剤ＨＭで接着することにより、第１・第２脚周り弾性域１１，１２の連結をより強固にすることができる。
【００２７】
また、第１・第２脚周り弾性域１１，１２近傍の不織布は、これらの弾性域の収縮力により多数の皺が生じ、凹凸面となっている（図３に図示せず。図1参照）。第１・第２接続部材２１，２２に、肌側シート１３、バックシート１９を構成する不織布より高剛性のものを用いれば、前記の凹凸面にかかわらず第１接続部材２１と第２接続部材２２を平面どうしで接続することができるので、第１・第２脚周り弾性域１１，１２の連結がより確実になる。
【００２８】
次に図４〜図６を参照して第２実施形態に係るおむつ１について説明する。
図４は、おむつ1の胴周り部材２、股間部材３と防漏カフ３１の紙面右側の一部を破断して表わす展開図であり、股間部材３のトップシート２０に防漏カフ３１が取付けられている点を除き、第１実施形態と同一であり、共通する構成要素には同一の符号を付してある。図５は、図４のＶ−Ｖ断面での各弾性域の接続状態を表わす模式図、図６は図４のＶＩ−ＶＩ断面での各弾性域の接続状態を表わす模式図である。なお、図４〜図６では股間部材３の吸収体の図示は省略している。
【００２９】
防漏カフ３１は、ほぼ長方形の一対の繊維不織布から成り、長方形の長辺方向に延びる折り返し線Ｈに沿って折り返され、また、股間部材３のトップシート２０側で側縁６，６に沿って延び、第２接続部材２２と重なり合って取付けられている（図５参照）。防漏カフ３１の長辺の一方は股間部材３の側縁６，６に固定される固定端３２であり、長辺の他方は股間部材３から離間可能な自由端３３であり、自由端３３に沿って防漏カフ弾性域３４が取付けられている。防漏カフ弾性域３４はゴム紐から成り、防漏カフ３１を構成する不織布の端を折り返した内側に、伸長下に接着剤ＨＭにより間隔をあけて接着されている（図６参照）。
【００３０】
図４に示すように、防漏カフ３１の自由端３３は固定端３２と並行して延び、前・後身頃１５，１６の各第２接続部材２２と重なり合う部分３５の少なくとも一部が、トップシート２０に接着剤ＨＭで接着され、その他の部分はトップシート２０に接着されておらず離間可能である。この構成により、おむつ１を着用するとき、トップシート２０を内側にして股間部材３を湾曲させると、防漏カフ弾性域３４の収縮により自由端３３が股間部材３から離間し、防漏カフ３１が股間部材３に対し起立した状態となり、自由端３３が着用者の脚に密着することにより、尿等が脚周り開口７から漏れることが防止される。
【００３１】
次に、図５、図６を参照して各弾性域の接続状態を説明する。第１・第２脚周り弾性域１１，１２が相対的に高剛性の第１・第２接続部材２１，２２および接着剤ＨＭを介して連結されているのは第１実施形態と同様である。さらに、自由端３３の防漏カフ弾性域３４が、防漏カフ３１を構成する不織布が介在した状態で、第２脚周り弾性域１２に重なり合って連結されることにより、第１・第２接続部材２１，２２および接着剤ＨＭを介して第１脚周り弾性域１１に連結される。
これにより、図６から明らかなように、第１・第２脚周り弾性域１１，１２の収縮力に防漏カフ弾性域３４の収縮力が加わり、三者の収縮力が一体となって股間部材３を胴周り部材２に向けて引き上げ、着用者に対する股間部材３の密着性が向上する。
【００３２】
次に図７〜図９を参照して第３実施形態に係るおむつ１について説明する。
図７は、おむつ1の胴周り部材２、股間部材３と防漏カフ３１の紙面右側の一部を破断して表わす展開図であり、防漏カフ弾性域３４が第２脚周り弾性域１２を構成しており、バックシート１９とトップシート２０の間にゴム紐が無いこと、尿等を吸収する吸収体３６が防漏カフ弾性域３４と第１脚周り弾性域１１の間に介在することを除き、第２実施形態と同様である。図８は、図７のＶＩＩＩ−ＶＩＩＩ断面での各弾性域の接続状態を表わす模式図、図９は図７のＩＸ−ＩＸ断面での各弾性域の接続状態を表わす模式図である。なお、第２実施形態と共通する構成要素には同一の符号を付している。
【００３３】
吸収体３６は、股間部材３のバックシート１９とトップシート２０の間に介在し、接着剤ＨＭをドット状あるいはループ上に塗布してバックシート１９およびトップシート２０に接着され、第１脚周り弾性域１１および第２接続部材２２と重なり合っている（図８参照）。吸収体３６は、粉砕パルプと高吸水性ポリマーとからなり、胴周り部材２、股間部材３を構成する不織布より相対的に剛性が高い。なお、吸収体３６は着用者の股間部にフィットするよう、両側の中央部が無い方に湾曲した形状となっている。
【００３４】
一対の防漏カフ３１は、股間部材３のトップシート２０側で側縁６，６に沿って取付けられ、第２接続部材２２と重なり合い、また、防漏カフ３１の自由端３３に沿って、第２脚周り弾性域を構成する防漏カフ弾性域３４が取付けられている（図８参照）。防漏カフ弾性域３４はゴム紐から成り、防漏カフ３１を構成する不織布の端を折り返した内側に、伸長下で接着剤ＨＭで間隔をあけて接着されている（図９参照）。防漏カフ３１の自由端３３は、第２実施形態と同様に、第２接続部材２２と重なり合う部分３５の少なくとも一部が、トップシート２０に接着剤ＨＭで接着され、その他の部分はトップシート２０に接着されておらず離間可能である。
【００３５】
次に、図８、図９を参照して各弾性域の接続状態を説明する。本実施形態では、図８、図９に示すように、第１脚周り弾性域１１と第２脚周り弾性域１２を構成する防漏カフ弾性域３４が、相対的に高剛性であり互いに重なり合う第１・第２接続部材２１，２２、接着剤ＨＭ、および吸収体３６を介して連結される。この結果、図９から明らかなように、第１脚周り弾性域１１と防漏カフ弾性域３４の収縮力が一体となって、股間部材３を胴周り部材２に向けて引き上げる。これにより、着用者に対する股間部材３の密着性が向上する。また、第１脚周り弾性域１１と防漏カフ弾性域３４の収縮力が一体となることにより、自由端３３がより強く着用者の脚に密着して、尿等の漏れをさらに効果的に防止される。
【００３６】
なお、第１脚周り弾性域１１と防漏カフ弾性域３４が吸収体３６を介して連結される構成を例に説明したが、これに変えて、吸収体３６を介在させず、トップシート２０とバックシート１９を直接接着剤ＨＭで接着して相対的に高剛性とし、第１脚周り弾性域１１と防漏カフ弾性域３４を連結する構成とすることができる。
【００３７】
以上、本発明のパンツ型の着用物品について実施形態に基づき説明したが、本発明はこれらに限定されず種々変更して実施できる。
例えば、股間部材３と胴周り部材２を別体として説明したが、股間部材３と胴周り部材２が着用者の腹側または背側で一体となっており、着用者の背側または腹側だけで接続する構成にすることができる。また、股間部材３と胴周り部材２にはそれぞれトップシート２０、肌側シート１３がある場合を例に説明したが、トップシート２０が無い構成とすることもできる。あるいは、防漏カフ３１は二つ折りにされている場合に限られず、この他の公知の防漏カフの構成に変更することができる。さらに各弾性域や不織布の接着を、ホットメルト接着剤ではなく、熱融着または超音波融着で行なうこともできる。
【００３８】
また、第２脚周り弾性域１２が股間部材３の両側縁６に取り付けられている構成に代えて、股間部材３の両側縁６から外方に延出する不織布を設け、この不織布に第２脚周り弾性域１２を取り付けることにより、股間部材３の両側縁６に沿って第２脚周り弾性域１２が延びる構成とすることもできる。あるいは、第１・第２接続部材２１，２２に、多数のループとフックからなるメカニカルファスナに代えて、多数のフックとフックからなるメカニカルファスナ、あるいは、ループが不織布で構成されるメカニカルファスナを用いることもできる。
【図面の簡単な説明】
【００３９】
【図１】第１実施形態のおむつの斜視図。
【図２】第１実施形態のおむつの展開図。
【図３】図２のＩＩＩ−ＩＩＩ断面での第１・第２脚周り弾性域の連結状態を表わす模式図。
【図４】第２実施形態のおむつの展開図。
【図５】図４のＶ−Ｖ断面での第１・第２脚周り弾性域の連結状態を表わす模式図。
【図６】図４のＶＩ−ＶＩ断面での第１・第２脚周り弾性域の連結状態を表わす模式図。
【図７】第３実施形態のおむつの展開図。
【図８】図７のＶＩＩＩ−ＶＩＩＩ断面での第１・第２脚周り弾性域の連結状態を表わす模式図。
【図９】図７のＩＸ−ＩＸ断面での第１・第２脚周り弾性域の連結状態を表わす模式図。
【符号の説明】
【００４０】
１      着用物品（おむつ）
２      胴周り部（胴周り部材）
３      股間部（股間部材）
４      両側
５      下端縁
６      両側縁
７      脚周り開口
８      接続部
１１    第１脚周り弾性域
１２    第２脚周り弾性域
２１    第１接続部材
２２    第２接続部材
３１    防漏カフ
３２    固定端
３３    自由端
３４    防漏カフ弾性域
【図１】
2008036019.tif 000003
【図２】
2008036019.tif 000004
【図３】
2008036019.tif 000005
【図４】
2008036019.tif 000006
【図５】
2008036019.tif 000007
【図６】
2008036019.tif 000008
【図７】
2008036019.tif 000009
【図８】
2008036019.tif 000010
【図９】
2008036019.tif 000011